(57)【要約】【課題】  監視カメラの増設の費用を抑えることができ、監視カメラの増設に伴う異常の監視の中断がなく、継続的に警備が可能で、伝送効率を向上させることができる監視カメラの増設器を提供することにある。【解決手段】  不審者の侵入や火災発生等の異常を監視する監視カメラと、監視カメラの画像を警備センタに伝送するための画像伝送通報機器とを備えた警備システムに用いられる監視カメラの増設器で、監視カメラを接続する複数の映像信号入力と、複数の映像信号入力を所定のタイミングで切り替えて合成映像信号を生成する切替手段と、合成映像信号を出力する映像信号出力とを備え、映像信号出力を、画像伝送通報機器の映像信号入力に接続することを特徴とする。【選択図】図１
2005229358.tif 000002
【特許請求の範囲】
【請求項１】
不審者の侵入や火災発生等の異常を監視する監視カメラと、該監視カメラの画像を警備センタに伝送するための画像伝送通報機器とを備えた警備システムに用いられる監視カメラの増設器において、
該監視カメラを接続する複数の映像信号入力と、
該複数の映像信号入力を所定のタイミングで切り替えて合成映像信号を生成する切替手段と、
該合成映像信号を出力する映像信号出力とを備え、
該映像信号出力を、該画像伝送通報機器の映像信号入力に接続することを特徴とする監視カメラの増設器。
【請求項２】
前記切替手段は、前記複数の映像信号入力のうち、映像信号が入力されているもののみを切り替えることを特徴とする請求項１記載の監視カメラの増設器。
【請求項３】
前記所定のタイミングを、前記異常の監視が可能な期間により定めることを特徴とする請求項１又は請求項２記載の監視カメラの増設器。
【発明の詳細な説明】
【技術分野】
【０００１】
本発明は、警備システムに用いられる監視カメラの増設器に関する。
【背景技術】
【０００２】
従来より、警備対象施設に設けられたセンサが不審者の侵入や火災の発生等の異常を検知した場合に、監視カメラにより異常の詳細を捕らえて通報する画像伝送通報機器を備えた警備システムが用いられている。この画像伝送通報機器は、限られた台数の監視カメラの接続が可能であり、各監視カメラの画像を電気通信回線を介して警備センタに伝送する。
尚、この先行技術は、文献公知に係るものでないため、記載すべき先行技術文献情報はない。
【発明の開示】
【発明が解決しようとする課題】
【０００３】
しかしながら、従来の警備システムの画像伝送通報機器は、接続できる監視カメラの数が決められており、監視カメラの台数を増やしたい場合、画像伝送通報機器を別の物に交替するか増設する必要があり、監視カメラの増設の費用を抑えることができない。
また、画像伝送通報機器の交替又は増設のための工事に時間を要することから、工事期間中十分な警備ができない。
【０００４】
本発明は、このような事情に鑑みてなされたもので、監視カメラの増設の費用を抑えることができ、監視カメラの増設に伴う異常の監視の中断がなく、継続的に警備が可能で、伝送効率を向上させることができる監視カメラの増設器を提供することにある。
【課題を解決するための手段】
【０００５】
請求項１記載の監視カメラの増設器は、不審者の侵入や火災発生等の異常を監視する監視カメラと、監視カメラの画像を警備センタに伝送するための画像伝送通報機器とを備えた警備システムに用いられる監視カメラの増設器で、監視カメラを接続する複数の映像信号入力と、複数の映像信号入力を所定のタイミングで切り替えて合成映像信号を生成する切替手段と、合成映像信号を出力する映像信号出力とを備え、映像信号出力を、画像伝送通報機器の映像信号入力に接続することを特徴とする。
【０００６】
請求項２記載の監視カメラの増設器は、切替手段が、複数の映像信号入力のうち、映像信号が入力されているもののみを切り替えることを特徴とする。
【０００７】
請求項３記載の監視カメラの増設器は、複数の映像信号入力を切り替えるタイミングを、異常の監視が可能な期間により定めることを特徴とする。
【発明の効果】
【０００８】
請求項１の発明によれば、複数の映像信号入力から合成映像信号を生成し、合成映像信号を画像伝送通報機器に入力していることから、既存の画像伝送通信機器の映像信号入力をそのまま利用して監視カメラの増設が可能で、監視カメラの増設の費用を抑えることができる。
また、既存の画像伝送通信機器の改修を行うことなく監視カメラの増設ができ、監視カメラの増設に伴う異常の監視の中断がなく、継続的に警備が可能である。
【０００９】
請求項２の発明によれば、切替手段が、複数の映像信号入力のうち映像信号が入力されているもののみを切り替えて合成映像信号を生成することから、不必要な信号の通報を回避し伝送効率を向上させることができる。
【００１０】
請求項３の発明によれば、複数の映像信号入力を切り替えるタイミングを、異常の監視が可能な期間により定めることから、警備センタ側では、合成映像信号に処理を加えることなく増設された監視カメラの映像で異常の監視が可能である。このため、既存の警備センタをそのまま使用でき、監視カメラの増設の費用を抑えることができる。
【発明を実施するための最良の形態】
【００１１】
以下、本発明の形態について図面を参照しながら具体的に説明する。本発明の形態における監視カメラの増設器は、警備対象施設に設けられたセンサが不審者の侵入や火災の発生等の異常を検知した場合等に、監視カメラにより異常の詳細を捕らえて通報する画像伝送通報機器に、監視カメラを増設するためのものである。
【００１２】
図１は、本発明に係る増設器の構成を示す構成図である。図２は同増設器の動作を示す説明図、図３は同増設器の詳細な構成を示す構成図である。図４は、同増設器の動作を示す状態遷移図である。
【００１３】
図１における警備システムは、警備対象施設に設けられ不審者の侵入や火災の発生等の異常を検知するセンサ２５と、警備対象施設の状況を撮影する監視カメラ９，８ａ〜８ｄと、センサ２５の検知状況や監視カメラ９，８ａ〜８ｄの画像を電気通信回線５を介して通報する画像伝送通報機器２０と、監視カメラ８ａ〜８ｄを増設するための増設器１から構成されている。画像伝送通報機器２０は、限られた数の映像信号入力であるカメラ端子２１を備える（図１の例では４入力）。
【００１４】
増設器１は、図２に示すように、監視カメラ８ａ〜８ｄを接続する複数の映像信号入力であるカメラ端子１５ａ〜１５ｄと、増設器１の制御を行い合成映像信号を生成する制御回路１０と、制御回路１０の動作のタイミングを作り出すクロック発生器１４と、合成映像信号を出力する映像信号出力である出力端子１６とからなる。カメラ端子１５ａ〜１５ｄは、図１に示すように、監視カメラ８ａ〜８ｄをそれぞれ接続可能である。制御回路１０は、複数の監視カメラ８ａ〜８ｄからの映像信号を所定のタイミングで切り替えて合成映像信号を生成する切替手段として機能する。そして、その所定のタイミングの元を作り出すのがクロック発生器１４である。また、出力端子１６は、画像伝送通報機器２０のカメラ端子２１の１つに接続されるものである。尚、増設器１及び画像伝送通報機器２０のカメラ端子１５ａ〜１５ｄ，２１や出力端子１６には、ＢＮＣ等の映像信号の接続に適したコネクタを使用している。
【００１５】
次に、図３を用いて増設器１の制御回路１０の詳細について説明する。制御回路１０は、信号比較器１１ａ〜１１ｄ、アナログスイッチ１２及び選択パルス生成器１３から構成されている。信号比較器１１ａ〜１１ｄは、各カメラ端子１５ａ〜１５ｄに映像信号が入力されているか否かを判別するための回路であり、信号有無情報を選択パルス生成器１３に送る。選択パルス生成器１３は、信号有無情報により、映像信号がどのカメラ端子１５ａ〜１５ｄに入力されているかを判断する。そして、クロック生成器１４からのクロックにあわせて、映像信号が入力されているもののみを切り替える情報を選択パルスとしてアナログスイッチ１２に送る。アナログスイッチ１２は、選択パルスにより、合成すべき映像信号を切り替えて合成映像信号を生成する。
【００１６】
次に、本実施例における監視カメラの増設器１の動作を図２の接続の例をもとに説明する。尚、以後の本実施の形態の説明において、括弧内の符号は図４の状態遷移図の符号に対応している。まず、図２に示すように、増設器１は、２台の監視カメラ８ｂ及び８ｄが接続され、カメラ端子１５ａ及びカメラ端子１５ｃからが映像信号が入力されていない状態である。すなわち、図２の増設器１の内側左の模式的波形の記載のように、カメラ端子１５ａ及びカメラ端子１５ｃは信号なしであり、カメラ端子１５ｂ及びカメラ端子１５ｄにはそれぞれ別の信号ありの状態である（図２のＢ，Ｄ）。この状態で、制御回路１０では、まず、信号比較器１１ａ〜１１ｄが、各カメラ端子１５ａ〜１５ｄの映像信号の有無を確認する。この例の場合、信号比較器１１ａと信号比較器１１ｃは、信号なしの信号有無情報を選択パルス生成器１３に送る。また、信号比較器１１ｂと信号比較器１１ｄは、信号ありの信号有無情報を選択パルス生成器１３に送る。信号比較器１１ａ〜１１ｄは、映像信号中の同期信号の検出を行い（Ｓ１０１）、映像信号に特徴的に含まれている同期信号の有無により信号有無信号の生成を行っている。
【００１７】
信号有無情報を受け取った選択パルス生成器１３は、信号有無信号とクロック生成器１４からのクロック（タイミング）により、選択パルス（切り替えのタイミング）を生成する（Ｓ１０２）。そして、選択パルスを受け取ったアナログスイッチ１２は、カメラ端子１５ａ〜１５ｄの映像信号の切り替え選択（場合によっては間引き）を行い、合成映像信号を生成する（Ｓ１０３）。生成された合成映像信号は、画像伝達通信機器２０のカメラ端子２１の１つに入力され、他の監視カメラ９の映像信号と共に、一時的にメモリされ（Ｓ１０４）、通信可能なデータ加工（例えば、デジタルデータ化（Ｓ１０５））が行われ、通信制御を施されつつ（Ｓ１０６）、電気通信回線５を介して、警備センタ３０に送られる。
【００１８】
以上のように、画像伝送通信機器２０は、元々は４台の監視カメラ９しか接続することができなかったが、増設器１を使用することにより、７台の監視カメラ８ａ〜８ｄ，９を接続することができるようになる。そして、既存の画像伝送通信機器２０のカメラ端子２１をそのまま利用して監視カメラ８ａ〜８ｄの増設が可能で、監視カメラ８ａ〜８ｄの増設の費用を抑えることができる。また、既存の画像伝送通信機器２０の改修を行うことなく監視カメラ８ａ〜８ｄの増設ができ、監視カメラ８ａ〜８ｄの増設に伴う異常の監視の中断がなく、継続的に警備が可能である。さらに、増設器１は、複数の映像信号をアナログスイッチ１２で切り替えて合成し、その合成映像信号を出力しているにすぎないことから、回路構成が簡単で、増設器１自体が小型である。このため、監視カメラ８ａ〜８ｄの増設にあたって、スペース的な制約を受けにくく、小スペースで簡易に増設することができる。
【００１９】
また、制御回路１０が、複数のカメラ端子１５ａ〜１５ｄのうち映像信号が入力されているもののみを信号比較器１１ａ〜１１ｄで判断し、切り替えて合成映像信号を生成することから、不必要な信号の通報を回避し伝送効率を向上させることができる。尚、信号比較器１１ａ〜１１ｄを用いず、他の手段により映像信号の有無を行ってもよい。例えば、カメラ端子１５ａ〜１５ｄに監視カメラ８ａ〜８ｄが接続されているか否かをコネクタの接続の有無で判断したり、スイッチで接続の有無をセットするようにすることも可能である。
【００２０】
また、複数の映像信号を切り替えるタイミングを、異常の監視が可能な期間により定めることから、警備センタ３０側では、合成映像信号に処理を加えることなく増設された監視カメラ８ａ〜８ｄの切り替わる映像で異常の監視が可能である。このため、既存の警備センタ３０をそのまま使用でき、監視カメラ８ａ〜８ｄの増設の費用を抑えることができる。このタイミングは、例えば、数分の一秒〜数秒である。尚、予め切り替えのタイミングがわかっている場合に、警備センタ側で合成と逆の手順で別々の映像信号に再構成して増設した監視カメラ８ａ〜８ｄ毎に画像をモニタすることも可能である。さらに、このタイミングを警備センタからの指示により定めるような構成とすることもできる。
【００２１】
また、増設器１のカメラ端子１５ａ〜１５ｄ及び出力端子１６は、いずれも監視カメラ８ａ〜８ｄの映像信号と同様な映像信号を入出力するものであることから、カメラ端子１５ａ〜１５ｄと、他の増設器の出力端子とを接続することも可能である。すなわち、増設器をカスケード接続して、多くの監視カメラ８ａ〜８ｄの増設が可能である。
【産業上の利用可能性】
【００２２】
以上のように、本発明の監視カメラの増設器は、遠隔地の複数の施設を監視する必要のあるダムや遠隔地プラント等の無人施設の画像伝送通信機器にも適用することができる。
【図面の簡単な説明】
【００２３】
【図１】本発明に係る増設器の構成を示す構成図である。
【図２】同増設器の動作を示す説明図である。
【図３】同増設器の詳細な構成を示す構成図である。
【図４】同増設器の動作を示す状態遷移図である。
【符号の説明】
【００２４】
１・・・・・・・・・増設器
５・・・・・・・・・電気通信回線
８ａ〜８ｄ・・・・・監視カメラ
９・・・・・・・・・監視カメラ
１０・・・・・・・・制御回路
１１ａ〜１１ｄ・・・信号比較器
１２・・・・・・・・アナログスイッチ
１３・・・・・・・・選択パルス生成器
１４・・・・・・・・クロック発生器
１５ａ〜１５ｄ・・・カメラ端子
１６・・・・・・・・出力端子
２０・・・・・・・・画像伝送通信機器
２１・・・・・・・・カメラ端子
２５・・・・・・・・センサ
３０・・・・・・・・警備センタ
【図１】
2005229358.tif 000003
【図２】
2005229358.tif 000004
【図３】
2005229358.tif 000005
【図４】
2005229358.tif 000006